(57)【要約】  情報端末の出力画像を表示する画像表示装置の表示画面の注視すべき部分を簡単に明示することが可能な画像表示システム、情報端末、情報端末の制御方法及び制御プログラム、を提供する。  本発明の画像表示システムは、複数のアプリケーションウィンドウを表示する情報端末と、前記情報端末に接続され、前記アプリケーションウィンドウのいずれかひとつのアプリケーションウィンドウの内容を表示する少なくともひとつの画像表示装置から構成し、前記情報端末はアプリケーションウィンドウの内容の表示先と表示状態の指示手段を有し、前記指示手段により指示された画像表示装置は、前記指示手段により指示された表示状態に応じて、前記情報端末のアプリケーションウィンドウの表示内容と同じ状態で表示するか、または、異なる状態で表示するようにした。
2014002242.tif 000002
【特許請求の範囲】
【請求項１】
画像表示システムは、複数のアプリケーションウィンドウを表示する情報端末と、前記情報端末に接続され、前記アプリケーションウィンドウのいずれかひとつのアプリケーションウィンドウの内容を表示する少なくともひとつの画像表示装置から成り、
前記情報端末はアプリケーションウィンドウの内容の表示先と表示状態の指示手段を有し、
前記指示手段により指示された画像表示装置は、前記指示手段により指示された表示状態に応じて、前記情報端末のアプリケーションウィンドウの表示内容と同じ状態で表示するか、または、異なる状態で表示することを特徴とする画像表示システム。
【請求項２】
請求項１に記載の画像表示システムにおいて、
前記情報端末の指示手段で指示される表示先は、前記画像表示装置の機器名称あるいはIPアドレスあるいはMACアドレスであり、
前記情報端末の指示手段で指示される表示状態は、明暗状態あるいは輝度変化の状態であることを特徴とする画像表示システム。
【請求項３】
情報端末と画像表示装置が接続される画像表示システムであって、
前記情報端末は、
前記情報端末上で動作する複数のアプリケーションの動作画像を表示するモニタ部と、
前記動作画像の表示先となる画像表示装置を選択する表示先選択部と、
前記モニタ部上で表示されている前記動作画像から一つを選択する選択制御部と、
前記選択制御部での前記動作画像の選択状態に応じて画像制御信号を生成する制御信号生成部と、
前記動作画像及び前記画像制御信号を前記表示先選択部で選択した前記画像表示装置に送信する送信部と、
を備え、
前記画像表示装置は、
前記情報端末から送信された前記動作画像及び前記画像制御信号を受信する受信部と、
前記受信部で受信した前記画像制御信号の指示に基づき前記受信部で受信した前記動作画像に対して画像制御処理を施して表示画像と為す表示処理部と、
前記表示処理部で画像制御処理を施された前記表示画像を表示する表示部と、
を備え、
前記制御信号生成部が生成する前記画像制御信号は、前記選択制御部で選択されている前記動作画像を前記選択制御部で選択されていない前記動作画像と差別化するように画像制御を行うことを前記画像表示装置に指示する命令を含むことを特徴とする画像表示システム。
【請求項４】
画像出力端末と情報端末と画像表示装置が接続される画像表示システムであって、
前記画像出力端末は、
前記画像出力端末上で動作するアプリケーションの動作画像を前記情報端末の指示に応じて前記情報端末及び前記画像表示装置に出力する出力部と、
を備え、
前記情報端末は、
前記画像出力端末から出力された前記動作画像を入力する入力部と、
前記入力部で入力した前記動作画像を表示するモニタ部と、
前記画像出力端末上で動作する前記アプリケーションの動作画像の表示先となる画像表示装置を前記画像出力端末に対して指示する表示先選択部と、
前記モニタ部上で表示されている前記動作画像から一つを選択する選択制御部と、
前記選択制御部での前記動作画像の選択状態に応じて画像制御信号を生成する制御信号生成部と、
前記画像制御信号を前記画像表示装置に送信する送信部と、
を備え、
前記画像表示装置は、
前記画像出力端末から出力された前記動作画像及び前記情報端末から送信された前記画像制御信号を受信する受信部と、
前記受信部で受信した前記画像制御信号の指示に基づき前記受信部で受信した前記動作画像に対して画像制御処理を施して表示画像と為す表示処理部と、
前記表示処理部で画像制御処理を施された前記表示画像を表示する表示部と、
を備え、
前記制御信号生成部が生成する前記画像制御信号は、前記選択制御部で選択されている前記動作画像を前記選択制御部で選択されていない前記動作画像と差別化するように画像制御を行うことを前記画像表示装置に指示する命令を含むことを特徴とする画像表示システム。
【請求項５】
画像出力端末と情報端末と画像表示装置が接続される画像表示システムであって、
前記画像出力端末は、
前記画像出力端末上で動作するアプリケーションの動作画像の表示先となる画像表示装置を選択する表示先選択部と、
前記動作画像を前記表示先選択部での設定に応じて前記情報端末及び前記画像表示装置に出力する出力部と、
を備え、
前記情報端末は、
前記画像出力端末から出力された前記動作画像を入力する入力部と、
前記入力部で入力した前記動作画像を表示するモニタ部と、
前記モニタ部上で表示されている前記動作画像から一つを選択する選択制御部と、
前記選択制御部での前記動作画像の選択状態に応じて画像制御信号を生成する制御信号生成部と、
前記画像制御信号を前記画像表示装置に送信する送信部と、
を備え、
前記画像表示装置は、
前記画像出力端末から出力された前記動作画像及び前記情報端末から送信された前記画像制御信号を受信する受信部と、
前記受信部で受信した前記画像制御信号の指示に基づき前記受信部で受信した前記動作画像に対して画像制御処理を施して表示画像と為す表示処理部と、
前記表示処理部で画像制御処理を施された前記表示画像を表示する表示部と、
を備え、
前記制御信号生成部が生成する前記画像制御信号は、前記選択制御部で選択されている前記動作画像を前記選択制御部で選択されていない前記動作画像と差別化するように画像制御を行うことを前記画像表示装置に指示する命令を含むことを特徴とする画像表示システム。
【請求項６】
画像表示装置と接続可能な情報端末であって、
前記情報端末上で動作する複数のアプリケーションの動作画像を表示するモニタ部と、
前記動作画像の表示先となる画像表示装置を選択する表示先選択部と、
前記モニタ部上で表示されている前記動作画像から一つを選択する選択制御部と、
前記選択制御部での前記動作画像の選択状態に応じて画像制御信号を生成する制御信号生成部と、
前記動作画像及び前記画像制御信号を前記表示先選択部で選択した前記画像表示装置に送信する送信部と、
を備え、
前記制御信号生成部が生成する前記画像制御信号は、前記選択制御部で選択されている前記動作画像を前記選択制御部で選択されていない前記動作画像と差別化するように画像制御を行うことを前記画像表示装置に指示する命令を含むことを特徴とする情報端末。
【請求項７】
画像出力端末及び画像表示装置と接続可能な情報端末であって、
前記画像出力端末から出力された前記画像出力装置上で動作するアプリケーションの動作画像を入力する入力部と、
前記入力部で入力した前記動作画像を表示するモニタ部と、
前記モニタ部上で表示されている前記動作画像から一つを選択する選択制御部と、
前記選択制御部での前記動作画像の選択状態に応じて画像制御信号を生成する制御信号生成部と、
前記画像制御信号を前記画像表示装置に送信する送信部と、
を備え、
前記制御信号生成部が生成する前記画像制御信号は、前記選択制御部で選択されている前記動作画像を前記選択制御部で選択されていない前記動作画像と差別化するように画像制御を行うことを前記画像表示装置に指示する命令を含むことを特徴とする情報端末。
【請求項８】
前記選択制御部で選択されている前記動作画像を前記選択制御部で選択されていない前記動作画像と差別化するように画像制御を行うことを指示する命令は、
前記選択制御部で選択されている前記動作画像に対して輝度を低下させずに表示するように処理することを指示する命令であり、前記選択制御部で選択されていない前記動作画像に対して輝度を低下させて表示するように処理することを指示する命令であることを特徴とする請求項３乃至請求項７のいずれか一項に記載の画像表示システムまたは情報端末。
【請求項９】
前記画像表示装置は光源及び光学レンズを用いて表示画像を投影するプロジェクタ装置であって、
前記輝度を低下させて表示するように処理することを指示する命令は、
前記画像表示装置の前記光源の発光量を低下させるように制御することを指示する命令であることを特徴とする請求項８記載の画像表示システムまたは情報端末。
【請求項１０】
画像表示装置と接続可能な情報端末であって、
前記情報端末上で動作するアプリケーションの動作画像を表示するモニタ部と、
前記モニタ部上で表示されている前記動作画像の任意の表示領域を指定する領域指定部と、
前記領域指定部で指定された表示領域の座標情報を取得する座標取得部と、
画像制御信号を生成する制御信号生成部と、
前記動作画像と前記座標取得部で取得した前記座標情報と前記制御信号生成部で生成した前記画像制御信号を前記画像表示装置に送信する送信部と、
を備え、
前記制御信号生成部が生成する前記画像制御信号は、前記座標情報で指定される表示領域を前記座標情報で指定される表示領域以外の領域と差別化するように画像制御を行うことを前記画像表示装置に指示する命令を含むことを特徴とする情報端末。
【請求項１１】
情報端末の制御方法であって、
前記情報端末上で動作する複数のアプリケーション動作画像を表示するモニタ工程と、
前記動作画像の表示先となる画像表示装置を選択する出力先選択工程と、
前記モニタ工程で表示した前記動作画像から一つを選択する選択制御工程と、
前記選択制御工程で行った前記動作画像の選択状態に応じて、前記選択制御工程で選択した前記動作画像を前記選択制御工程で選択しなかった前記動作画像と差別化するように画像制御を行うことを前記画像表示装置に指示する命令を含む画像制御信号を生成する制御信号生成工程と、
前記動作画像及び前記画像制御信号を前記出力先選択工程で選択した前記画像表示装置に送信する送信工程と、
を含むことを特徴とする情報端末の制御方法。
【請求項１２】
情報端末で実行される制御プログラムであって、
前記情報端末上で動作する複数のアプリケーション動作画像を表示し、
前記動作画像の表示先となる画像表示装置を選択し、
前記モニタ工程で表示した前記動作画像から一つを選択し、
前記選択制御工程で行った前記動作画像の選択状態に応じて、前記選択制御工程で選択した前記動作画像を前記選択制御工程で選択しなかった前記動作画像と差別化するように画像制御を行うことを前記画像表示装置に指示する命令を含む画像制御信号を生成し、
前記動作画像及び前記画像制御信号を前記出力先選択工程で選択した前記画像表示装置に送信する、ことを特徴とする情報端末の制御プログラム。
【発明の詳細な説明】
【技術分野】
【０００１】
本発明は、複数の表示端末・表示装置の間で、映像表示を連携しておこなう表示システムに関する。
【背景技術】
【０００２】
近年、商品説明や事業計画などのプレゼンテーション等を行う場合に、パーソナルコンピュータ等の情報端末の出力画像を液晶プロジェクタ等の画像表示装置で表示することにより、多数の聴衆者に資料を提示することが一般化してきている。この際に提示資料の数が多い場合には、複数台の液晶プロジェクタを用いて同時に複数の資料（画像）を表示させる場合もある。この場合、複数台の液晶プロジェクタのそれぞれに制御用のパーソナルコンピュータを用意することができるが、操作性や利便性を考慮した場合、前記複数台の液晶プロジェクタを一台のパーソナルコンピュータで制御可能とすることが望ましい。【０００３】
例えば、特許文献１には、上記の前記複数台の液晶プロジェクタを一台のパーソナルコンピュータで制御する表示システムの技術が開示されている。詳しくは、特許文献１には、Ｎ個（Ｎは２以上の整数）の画像表示装置に画像を供給する画像供給装置における画像表示制御方法であって、（ａ）前記画像表示装置とは異なる表示部に前記Ｎ個の画像表示装置と対応するＮ個の表示領域を形成するとともに、前記画像供給装置が表示するＮ個の表示画像と前記Ｎ個の表示領域との間で、一対一の対応関係が視覚的に認識されるように前記Ｎ個の表示領域を前記表示部内に配置する工程と、（ｂ）前記各表示領域に表示された画像を対応する前記画像表示装置に供給する工程と、を含むことが記載されている。
【先行技術文献】
【特許文献】
【０００４】
【特許文献１】特開２０１１−０４８８３６号公報
【発明の概要】
【発明が解決しようとする課題】
【０００５】
プレゼンテーション等で複数台の液晶プロジェクタ等を用いて、複数の資料を並列提示する場合、発表者は複数台の液晶プロジェクタ等に表示されている資料の何れに注視すべきかを聴衆に効率よく示す必要がある。レーザーポインタ等の補助器具を用いて前記を実現する方法も考えられるが、レーザーポインタの光点は小さく、視認性に優れているとは言い難い。【０００６】
このため、レーザーポインタ等の補助器具を使用せず、前記複数の液晶プロジェクタ等に画像を出力するパーソナルコンピュータ等の制御により、注視すべき資料を聴衆に対して明示することが可能な技術が求められる。しかしながら、特許文献１には前記課題を解決する技術に関する開示は行われていない。【０００７】
本発明の目的は、前記課題を考慮し、情報端末の出力画像を表示する画像表示装置の表示画面の注視すべき部分を簡単に明示することが可能な画像表示システム、情報端末、情報端末の制御方法及び制御プログラム、を提供することである。
【課題を解決するための手段】
【０００８】
上記課題を解決するために、本発明の画像表示システムは、複数のアプリケーションウィンドウを表示する情報端末と、前記情報端末に接続され、前記アプリケーションウィンドウのいずれかひとつのアプリケーションウィンドウの内容を表示する少なくともひとつの画像表示装置から構成し、前記情報端末はアプリケーションウィンドウの内容の表示先と表示状態の指示手段を有し、前記指示手段により指示された画像表示装置は、前記指示手段により指示された表示状態に応じて、前記情報端末のアプリケーションウィンドウの表示内容と同じ状態で表示するか、または、異なる状態で表示するようにした。【０００９】
また、前記情報端末の指示手段で指示される表示先は、前記画像表示装置の機器名称あるいはIPアドレスあるいはMACアドレスであり、前記情報端末の指示手段で指示される表示状態は、明暗状態あるいは輝度変化の状態であるようにした。
【発明の効果】
【００１０】
本発明の技術を用いることにより、情報端末の出力画像を表示する画像表示装置の表示画面の注視すべき部分を簡単に明示することが可能な画像表示システム、情報端末、情報端末の制御方法及び制御プログラム、を提供することができ、プレゼンテーションの効果を向上することができる。
【図面の簡単な説明】
【００１１】
【図１】実施例に係る情報端末のブロック図である。
【図２】実施例に係る画像表示装置のブロック図である。
【図３】実施例に係る画像表示システムの構成図である。
【図４】実施例に係る画像表示処理のフローチャートである。
【図５】実施例に係る情報端末の画像表示装置選択処理を説明する画面表示図である。
【図６（ａ）】実施例に係る情報端末及び画像表示装置の画面表示図である。
【図６（ｂ）】実施例に係る情報端末及び画像表示装置の画面表示図である。
【図７（ａ）】実施例に係る情報端末及び画像表示装置の画面表示図である。
【図７（ｂ）】実施例に係る情報端末及び画像表示装置の画面表示図である。
【図８】実施例に係るアプリケーション選択操作を説明する概念図である。
【図９】実施例に係る情報端末の画像表示装置選択処理を説明する画面表示図である。
【図１０（ａ）】実施例に係る情報端末及び画像表示装置の画面表示図である。
【図１０（ｂ）】実施例に係る情報端末及び画像表示装置の画面表示図である。
【図１０（ｃ）】実施例に係る情報端末及び画像表示装置の画面表示図である。
【図１１】実施例に係る情報端末及び画像表示装置の画面表示図である。
【図１２】実施例に係る画像表示システムの構成図である。
【図１３（ａ）】実施例に係る情報端末及び画像表示装置の画面表示図である。
【図１３（ｂ）】実施例に係る情報端末及び画像表示装置の画面表示図である。
【図１４】実施例に係る画像表示システムの構成図である。
【図１５（ａ）】実施例に係る画像表示システム構成処理を説明する画面表示図である。
【図１５（ｂ）】実施例に係る画像表示システム構成処理を説明する画面表示図である。
【図１６（ａ）】実施例に係る情報端末及び画像表示装置の画面表示図である。
【図１６（ｂ）】実施例に係る情報端末及び画像表示装置の画面表示図である。
【図１７】実施例に係る制御用の情報端末による他の情報端末のアプリケーション遠隔操作を説明する概念図である。
【図１８】実施例に係る画像表示システムの構成図である。
【図１９】実施例に係るＬＥＤバックライトのエリア制御を説明する概念図である。
【図２０】実施例に係る情報端末及び画像表示装置の画面表示図である。
【図２１】実施例に係る情報端末及び画像表示装置の画面表示図である。
【発明を実施するための形態】
【００１２】
以下、本発明の実施形態を、図面を用いて説明する。
【実施例１】
【００１３】
図１は、本実施例の情報端末のブロック図である。情報端末１００は、制御部１０１、システムバス１０２、ＲＯＭ１０３、ＲＡＭ１０４、ストレージ部１１０、表示部１２１、表示処理部１２２、映像入力部１２３、スピーカ１２４、音声処理部１２５、音声入力部１２６、映像／音声出力部１２７、操作部１３０、電話網通信部１４１、ＬＡＮ通信部１４２、外部インタフェース１５０、加速度センサ１６１、ジャイロセンサ１６２、地磁気センサ１６３、ＧＰＳ受信部１６４、照度センサ１６５、赤外線送信部１７０、で構成される。【００１４】
図２は、本実施例の画像表示装置のブロック図である。画像表示装置２００は、制御部２０１、システムバス２０２、ＲＯＭ２０３、ＲＡＭ２０４、ストレージ部２１０、表示（投影）部２２１、表示処理部２２２、スピーカ２２４、音声処理部２２５、映像／音声入力部２２７、操作部２３０、ＬＡＮ通信部２４２、外部インタフェース２５０、赤外線受信部２７０、で構成される。【００１５】
情報端末１００は、携帯電話やスマートホンであっても良いし、ＰＤＡ（Ｐｅｒｓｏｎａｌ  Ｄｉｇｉｔａｌ  Ａｓｓｉｓｔａｎｔｓ）や据え置き型／携行型ＰＣ（Ｐｅｒｓｏｎａｌ  Ｃｏｍｐｕｔｅｒ）、タブレット端末であっても良い。また、携帯型ゲーム機やデジタルカメラ等、その他のデジタル機器であっても良い。【００１６】
一方、画像表示装置２００は、小型液晶パネル等に表示した画像を光学レンズ等でスクリーンに拡大投影するプロジェクタ装置であっても良いし、プラズマディスプレイや有機ＥＬ（Ｅｌｅｃｔｒｏ−Ｌｕｍｉｎｅｓｃｅｎｃｅ）ディスプレイ等の直視型モニタ装置であっても良い。また、デジタル放送の受信機能を有したテレビであっても良い。【００１７】
図１の制御部１０１は、情報端末１００全体を制御する、例えばマイクロプロセッサユニットである。システムバス１０２は制御部１０１と情報端末１００内の各部との間でデータ送受信を行うためのデータ通信路である。ＲＯＭ（Ｒｅａｄ  Ｏｎｌｙ  Ｍｅｍｏｒｙ）１０３は、オペレーティングシステムや所定のアプリケーションプログラムなど、情報端末１００の基本動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。【００１８】
ＲＯＭ１０３に格納されたプログラムを更新することにより、基本動作プログラムのバージョンアップや機能拡張が可能であるものとする。なお、ＲＯＭ１０３は図１に示したような独立構成とはせず、ストレージ部１１０内の一部記憶領域を使用しても良い。ＲＡＭ（Ｒａｎｄｏｍ  Ａｃｃｅｓｓ  Ｍｅｍｏｒｙ）１０４は基本動作プログラム若しくは各アプリケーション実行時のワークエリアとなる。また、ＲＯＭ１０３及びＲＡＭ１０４は制御部１０１と一体構成であっても良い。【００１９】
ストレージ部１１０は情報端末１００の各動作設定値や情報端末１００の使用者の個人情報（アドレス帳やスケジュール等）、情報端末１００を使用するための認証情報、情報端末１００で動作する各種のアプリケーション等を記憶する。なお、ストレージ部１１０の一部領域を以ってＲＯＭ１０３の機能の全部または一部を代替しても良い。ストレージ部１１０は情報端末１００が電源オフの状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等が用いられる。【００２０】
また、情報端末１００は、インターネット等に接続された外部アプリケーションサーバから、電話網通信部１４１またはＬＡＮ通信部１４２を介して、新規アプリケーションをダウンロードすることにより機能拡張をすることが可能であるものとする。この際、ダウンロードした前記新規アプリケーションはストレージ部１１０に記憶される。ストレージ部１１０に記憶された前記アプリケーションが使用時にＲＡＭ１０４上に展開されて実行されることにより、情報端末１００は多種の機能を実現可能であるものとする。【００２１】
表示部１２１は例えば液晶パネルのような表示デバイスであり、表示処理部１２２において処理した映像信号を情報端末１００の使用者に提供する。映像入力部１２３はカメラであり、レンズから入力した光を電気信号に変換することにより周囲や対象物の画像データを入力する。スピーカ１２４は音声処理部１２５において処理した音声信号を情報端末１００の使用者に提供する。音声入力部１２６はマイクであり、使用者の声などの音声データを入力する。映像／音声出力部１２７は映像信号及び音声信号の出力インタフェースであり、外部モニタや外部スピーカに対して表示処理部１２２及び音声処理部１２５で処理した映像信号及び音声信号を出力する。【００２２】
操作部１３０は、情報端末１００の使用者の操作に基づいて指示の入力を行う指示入力部であり、文字入力や実行中のアプリケーションの操作に用いる。ボタンスイッチを並べたマルチキーにより実現しても良いし、表示部１２１に重ねて配置したタッチパネルにより実現しても良い。また、両者を併用しても良い。また、外部インタフェース１５０にマウスやキーボード等を接続して操作することにより、操作部１３０の代替としても良い。本実施例においては、操作部１３０は複数のボタンスイッチ（図示省略）及び表示部１２１に重ねて配置したタッチパネルの併用により構成されるものとする。【００２３】
電話網通信部１４１は、移動体電話通信網の基地局との通信を行う。ＬＡＮ（Ｌｏｃａｌ  Ａｒｅａ  Ｎｅｔｗｏｒｋ）通信部１４２は、インターネット等のネットワークと有線通信若しくは無線通信により接続し、情報の送受を行う。電話網通信部１４１及びＬＡＮ通信部１４２はそれぞれアンテナ、符号回路及び復号回路等で構成される。【００２４】
外部インタフェース１５０は、情報端末１００の機能を拡張するためのインタフェースであり、ＵＳＢ（Ｕｎｉｖｅｒｓａｌ  Ｓｅｒｉａｌ  Ｂｕｓ）機器、若しくはメモリカードの接続等を行う。加速度センサ１６１、ジャイロセンサ１６２、地磁気センサ１６３、ＧＰＳ受信部１６４等は、情報端末１００の状態を検出する。これらのセンサにより、情報端末１００の動き、傾き、方角、位置等を検出することが可能となる。照度センサ１６５は情報端末１００周辺の明るさを検出する。赤外線送信部１７０は、赤外線リモコン信号の送信部であり、本機能を使用することにより、情報端末１００を外部機器のリモコンとして使用することが可能となるものとする。【００２５】
一方、図２の制御部２０１は、画像表示装置２００全体を制御する、例えばマイクロプロセッサユニットである。システムバス２０２は制御部２０１と画像表示装置２００内の各部との間でデータ送受信を行うためのデータ通信路である。ＲＯＭ２０３は、オペレーティングシステムや所定のアプリケーションプログラムなど、画像表示装置２００の基本動作プログラムが格納されたメモリであり、例えばＥＥＰＲＯＭやフラッシュＲＯＭのような書き換え可能なＲＯＭが用いられる。【００２６】
ＲＯＭ２０３に格納されたプログラムを更新することにより、基本動作プログラムのバージョンアップや機能拡張が可能であるものとする。なお、ＲＯＭ２０３は図２に示したような独立構成とはせず、ストレージ部２１０内の一部記憶領域を使用しても良い。ＲＡＭ２０４は基本動作プログラム若しくは各アプリケーション実行時のワークエリアとなる。また、ＲＯＭ２０３及びＲＡＭ２０４は制御部２０１と一体構成であっても良い。【００２７】
ストレージ部２１０は画像表示装置２００の各動作設定値や、画像表示装置２００の調整用画像、等を記憶する。また、画像表示装置２００の使用者が、好みに応じて静止画像や動画映像を記憶させることも可能であるものとする。なお、ストレージ部２１０の一部領域を以ってＲＯＭ２０３の機能の全部または一部を代替しても良い。ストレージ部２１０は画像表示装置２００が電源オフの状態であっても記憶している情報を保持する必要がある。したがって、例えばフラッシュＲＯＭやＳＳＤ、ＨＤＤ等が用いられる。【００２８】
表示（投影）部２２１は例えば液晶パネルのような表示デバイスであり、表示処理部２２２において処理した画像情報を画像表示装置２００の使用者に提供する。なお、本実施例においては、画像表示装置２００は液晶プロジェクタであるものとし、液晶パネルである表示（投影）部２２１に表示された画像情報は、図示を省略した光源及び光学レンズにより外部スクリーンに投影されるものとする。スピーカ２２４は音声処理部２２５において処理した音声信号を画像表示装置２００の使用者に提供する。映像／音声入力部２２７は、映像信号及び音声信号の入力インタフェースであり、外部映像／音声出力機器から出力された映像信号及び音声信号を入力する。【００２９】
操作部２３０は、画像表示装置２００の使用者の操作に基づいて指示の入力を行う指示入力部であり、入力信号の選択や画像の調整等の操作に用いる。ボタンスイッチを並べたマルチキーにより実現しても良いし、タッチパネルにより実現しても良い。また、外部インタフェース２５０にマウスやキーボード等を接続して操作することにより、操作部２３０の代替としても良い。図示を省略したリモコンからの赤外線リモコン信号を赤外線受信部２７０で受信し、前記リモコンを操作することにより、操作部２３０の代替としても良い。【００３０】
ＬＡＮ通信部２４２は、インターネット等のネットワークと有線通信若しくは無線通信により接続し、情報の送受を行う。外部インタフェース２５０は、画像表示装置２００の機能を拡張するためのインタフェースであり、ＵＳＢ機器、若しくはメモリカードの接続等を行う。赤外線受信部２７０は、赤外線リモコン信号を受信する受光部である。【００３１】
なお、図１及び図２に示した情報端末１００及び画像表示装置２００の構成例は、電話網通信部１４１や各センサ類（１６１〜１６５）、スピーカ２２４、音声処理部２２５等、本発明に必須ではない構成も多数含んでいる。また、デジタルテレビ放送受信機能や電子マネー決済機能等、図示していない構成が加えられていても良い。また、情報端末１００が据え置き型ＰＣである場合等、表示部１２１を内蔵せず、映像／音声出力部１２７を別途用意した外部モニタの映像入力端子と映像ケーブルで接続することにより、情報端末１００の使用者に画像情報を提供する構成であっても良い。【００３２】
図３は、本実施例の画像表示システムの構成図である。一台の情報端末１００とｎ台（本実施例では、ｎ＝２）の画像表示装置２００とがネットワーク３００を介して接続されているものとする。【００３３】
情報端末１００とネットワーク３００との接続はＬＡＮ通信部１４２とネットワーク３００上の図示を省略したルータ装置との無線若しくは有線の通信により実現される。同様に、画像表示装置２００ａ及び画像表示装置２００ｂとネットワーク３００との接続はＬＡＮ通信部２４２ａ及びＬＡＮ通信部２４２ｂとネットワーク３００上の前記ルータ装置との無線若しくは有線の通信により実現される。【００３４】
なお、前記ルータ装置の機能はＬＡＮ通信部１４２、若しくはＬＡＮ通信部２４２ａまたはＬＡＮ通信部２４２ｂが兼ね備えるものであっても良い。この場合、別途ルータ装置を用意する必要なく情報端末１００と画像表示装置２００ａ及び画像表示装置２００ｂのネットワーク接続を成立させることが可能となる。【００３５】
図４は、本実施例の画像表示システムにおける情報端末１００の画像表示処理のフローチャートである。図４を用いて、図３に示したシステム構成において、情報端末１００上で動作する二つのアプリケーションソフトウェア（以下、アプリケーションと記す）の動作画像のそれぞれを異なる画像表示装置２００ａ及び画像表示装置２００ｂに表示させる場合の処理に関して説明する。【００３６】
情報端末１００上で動作する前記二つのアプリケーションの動作画像のそれぞれを異なる画像表示装置に表示させるために、情報端末１００の使用者は、まず前記二つのアプリケーションの動作画像のそれぞれをネットワーク３００上の何れの画像表示装置に表示させるかの設定を行う。即ち、情報端末１００の使用者は、まず情報端末１００上で動作する任意のアプリケーションを一つ選択する（Ｓ１０１）。【００３７】
次に、情報端末１００の使用者は、Ｓ１０１で選択したアプリケーションの動作画像の表示先となる画像表示装置を、ネットワーク３００上に接続されている画像表示装置の中から選択する（Ｓ１０３）。Ｓ１０３の処理を行うことにより、制御部１０１は、前記選択されたアプリケーションの動作画像を前記選択された画像表示装置へ表示するように設定を行い、前記設定に基づき前記選択されたアプリケーションの動作画像の画像信号を前記選択された画像表示装置へ出力する（Ｓ１０４）。【００３８】
更に、制御部１０１は、前記選択されたアプリケーションの動作画像の画像信号に適用するための、前記選択されたアプリケーションの動作画像と対になる画像制御信号を生成して前記選択された画像表示装置へ出力する（Ｓ１０５）。なお、前述の一連の処理は、情報端末１００上で動作する他のアプリケーションに対しても必要に応じて繰り返される。【００３９】
Ｓ１０３の工程で行われるアプリケーションの動作画像の表示先となる画像表示装置の選択処理の詳細例を、図５を用いて説明する。なお、情報端末１００上で動作する二つのアプリケーションを、以下では、それぞれアプリケーションＡ及びアプリケーションＢとする。【００４０】
情報端末１００上でアプリケーションＡ及びアプリケーションＢが動作している状態では、情報端末１００の表示部１２１−１上には、図５に示すように、アプリケーションＡの動作画像１２１Ｗ１１及びアプリケーションＢの動作画像１２１Ｗ１２が表示される。【００４１】
前記アプリケーションＡの動作画像１２１Ｗ１１の表示先となる画像表示装置を選択するために、情報端末１００の使用者は、操作部１３０（タッチパネル）上のアプリケーションＡの動作画像１２１Ｗ１１が表示されている領域をタップする。或いは、情報端末１００の外部インタフェース１５０に接続された図示を省略したマウスの操作により、ポインタ１２１Ｐ１をアプリケーションＡの動作画像１２１Ｗ１１が表示されている領域に移動させ、前記領域において前記マウスのボタンをクリックする。【００４２】
この操作により、アプリケーションＡの動作画像１２１Ｗ１１上にメニューが表示される。情報端末１００の使用者が前記メニューの中から『出力先の選択』項目を更に選ぶことにより、出力先選択メニュー１２１Ｍ１が表示される。【００４３】
出力先選択メニュー１２１Ｍ１には、ネットワーク３００を介して情報端末１００との接続が確立している画像表示装置の一覧が表示される。前記画像表示装置の一覧は、各画像表示装置が有するＩＰ（Ｉｎｔｅｒｎｅｔ  Ｐｒｏｔｃｏｌ）アドレスやＭＡＣ（Ｍｅｄｉａ  Ａｃｃｅｓｓ  Ｃｏｎｔｒｏｌ）アドレス、画像表示装置の型番や製造番号等を一覧で表示すれば良い。【００４４】
本実施例では、前記画像表示装置の一覧は各画像表示装置に任意に付与された機器名を表示するものとする。即ち、出力先選択メニュー１２１Ｍ１には、図５に示したように、画像表示装置２００ａの機器名『表示装置１』及び画像表示装置２００ｂの機器名『表示装置２』が表示されるものとする。【００４５】
アプリケーションＡの動作画像１２１Ｗ１１上に表示された出力先選択メニュー１２１Ｍ１から『表示装置１』を選択することにより、制御部１０１は画像表示装置２００ａをアプリケーションＡの動作画像１２１Ｗ１１の表示先として設定する。同様に、アプリケーションＢの動作画像１２１Ｗ１２を表示させるための画像表示装置の選択処理を行う。なお、各アプリケーションの動作画像を表示させるための画像表示装置の選択処理を行う順番は前述に限らず、任意で良い。【００４６】
本実施例の画像表示システムにおいて、前述の各アプリケーションの動作画像の表示先となる画像表示装置の設定処理を行うことにより、情報端末１００は、アプリケーションＡの動作画像１２１Ｗ１１の画像信号をＬＡＮ通信部１４２及びネットワーク３００を介して画像表示装置２００ａに送信する。同時に、情報端末１００は、アプリケーションＢの動作画像１２１Ｗ１２の画像信号をＬＡＮ通信部１４２及びネットワーク３００を介して画像表示装置２００ｂに送信する。【００４７】
情報端末１００が出力する各アプリケーションの動作画像を表示する各画像表示装置の表示画面の注視すべき部分を簡単に明示するために、本実施例の情報端末１００は、更に、画像表示装置２００ａ及び画像表示装置２００ｂに対して、それぞれ画像制御信号を送信する。【００４８】
画像表示装置２００ａは、情報端末１００から送信されたアプリケーションＡの動作画像１２１Ｗ１１の画像信号及び前記画像制御信号をＬＡＮ通信部２４２ａで受信し、表示処理部２２２ａで前記受信した画像信号に対して前記画像制御信号の内容に応じた所定の処理を施した後に表示（投影）部２２１ａで表示する。【００４９】
同様に、画像表示装置２００ｂは、情報端末１００から送信されたアプリケーションＢの動作画像１２１Ｗ１２の画像信号及び前記画像制御信号をＬＡＮ通信部２４２ｂで受信し、表示処理部２２２ｂで前記受信した画像信号に対して前記画像制御信号の内容に応じた所定の処理を施した後に表示（投影）部２２１ｂで表示する。【００５０】
図６（ａ）は、本実施例の画像表示システムにおいて、情報端末１００上で動作するアプリケーションＡ及びアプリケーションＢの動作画像をそれぞれ画像表示装置２００ａ及び画像表示装置２００ｂに表示し、更に表示部１２１−２上においてアプリケーションＡの動作画像１２１Ｗ２１が選択されている場合の、情報端末１００の表示部１２１−２と画像表示装置２００ａの表示（投影）部２２１ａ−２及び画像表示装置２００ｂの表示（投影）部２２１ｂ−２の表示画面を示す図である。【００５１】
図６（ａ）に示した例の場合、制御部１０１は画像表示装置２００ａに対してアプリケーションＡの動作画像１２１Ｗ２１の画像信号及び『受信した画像信号をそのまま表示する』という内容の画像制御信号を送信する。画像表示装置２００ａは、ＬＡＮ通信部２４２ａで前記画像信号及び前記画像制御信号を受信し、表示処理部２２２ａで前記画像信号に対して前記画像制御信号に応じた処理を施し、表示（投影）部２２１ａ−２に図６（ａ）に示したような画像を表示する。【００５２】
一方、画像表示装置２００ｂに対しては、制御部１０１はアプリケーションＢの動作画像１２１Ｗ２２の画像信号及び『受信した画像信号の輝度を下げる』という内容の画像制御信号を送信する。画像表示装置２００ｂは、ＬＡＮ通信部２４２ｂで前記画像信号及び前記画像制御信号を受信し、表示処理部２２２ｂで前記画像信号に対して前記画像制御信号に応じた処理を施し、表示（投影）部２２１ｂ−２に図６（ａ）に示したような画像を表示する。【００５３】
即ち、表示部１２１−２上で選択されているアプリケーションＡの動作画像１２１Ｗ２１を表示する画像表示装置２００ａの表示（投影）部２２１ａ−２は画像を明るく表示し、一方、表示部１２１−２上で選択されていないアプリケーションＢの動作画像１２１Ｗ２２を表示する画像表示装置２００ｂの表示（投影）部２２１ｂ−２は画像を暗く表示する。この結果、情報端末１００の使用者は、画像表示装置２００ａに表示されている画像が注視すべき画像であると明示することが可能となる。【００５４】
なお、前述の状態で情報端末１００の使用者がアプリケーションＢの動作画像を表示する画像表示装置２００ｂを注視させたいと考えた場合、図６（ｂ）に示すように、表示部１２１−３上においてアプリケーションＢの動作画像１２１Ｗ３２を選択すれば良い。【００５５】
前記操作により、制御部１０１は画像表示装置２００ａに対してアプリケーションＡの動作画像１２１Ｗ３１の画像信号及び『受信した画像信号の輝度を下げる』という内容の画像制御信号を送信するように制御を変更する。また、画像表示装置２００ｂに対してはアプリケーションＢの動作画像１２１Ｗ３２の画像信号及び『受信した画像信号をそのまま表示する』という内容の画像制御信号を送信するように制御を変更する。【００５６】
この結果、画像表示装置２００ａの表示（投影）部２２１ａ−３は画像を暗く表示し、画像表示装置２００ｂの表示（投影）部２２１ｂ−３は画像を明るく表示するようになる。即ち、情報端末１００の使用者は、表示部１２１−３上で選択したアプリケーションＢの動作画像１２１Ｗ３２を表示する画像表示装置２００ｂの表示（投影）部２２１ｂ−３が注視すべき画像であると明示することが可能となる。【００５７】
なお、画像表示装置２００で前記『受信した画像信号の輝度を下げる』という内容の画像制御信号の命令を実行する方法としては、以下が考えられる。例えば、表示処理部２２２がデジタル信号処理により画像信号の輝度信号の振幅を下げても良いし、表示処理部２２２若しくは制御部２０１が図示を省略した光源制御部を制御することにより図示を省略した光源の発光量を減らしても良い。また、前記画像制御信号の命令も前述の『受信した画像信号の輝度を下げる』の代わりに、『受信した画像信号を全黒画面と差替える』、『スクリーンセイバー画面を表示する』等としても良い。【００５８】
以上の処理により、本実施例の画像表示システム及び情報端末においては、例えばプレゼンテーション等で使用した場合に、聴衆に対して何れの資料に注視すべきかを簡単に示すことができ、即ち本発明の目的である、情報端末の出力画像を表示する画像表示装置の表示画面の注視すべき部分を簡単に明示することが可能となる。【００５９】
なお、前述の例では、情報端末１００の表示部１２１にアプリケーションＡ及びアプリケーションＢの動作画像を表示する際、図６に示したように、同一のデスクトップ上にアプリケーションＡ及びアプリケーションＢの動作画像をそれぞれウィンドウ形式で同時に表示するようにしている。【００６０】
しかしながら、例えば、情報端末１００のシステムが表示部１２１で視認可能な実デスクトップ領域とは異なる仮想デスクトップ領域をビデオＲＡＭ上に用意し、情報端末１００上で動作する複数のアプリケーションのうちの一方を前記実デスクトップ領域で、他方を前記仮想デスクトップ領域で表示させるようにしても良い。【００６１】
例えば、図７（ａ）に示すように、アプリケーションＡの動作画像を実デスクトップ領域１２１−４ｒに、アプリケーションＢの動作画像を仮想デスクトップ領域１２１−４ｖに表示させる。この場合、情報端末１００の使用者は実デスクトップ領域１２１−４ｒで動作するアプリケーションＡの動作画像のみを表示部１２１で視認可能である。【００６２】
即ち、これは情報端末１００上においてアプリケーションＡの動作画像が選択された状態である。したがって、前記状態においては、制御部１０１はアプリケーションＡの動作画像を表示する画像表示装置２００ａに対してアプリケーションＡの動作画像の画像信号及び『受信した画像信号をそのまま表示する』という内容の画像制御信号を送信する。一方、アプリケーションＢの動作画像を表示する画像表示装置２００ｂに対しては、アプリケーションＢの動作画像の画像信号及び『受信した画像信号の輝度を下げる』という内容の画像制御信号を送信する。【００６３】
この結果、図６（ａ）の場合と同様に、画像表示装置２００ａの表示（投影）部２２１ａ−４は画像を明るく表示し、画像表示装置２００ｂの表示（投影）部２２１ｂ−４は画像を暗く表示する。したがって、情報端末１００の使用者は、情報端末１００の実デスクトップ領域１２１−４ｒに表示されているアプリケーションＡの動作画像を表示する画像表示装置２００ａに表示されている画像が注視すべき画像であると明示することが可能となる。【００６４】
また、図７（ｂ）に示すように、情報端末１００上で実デスクトップ領域と仮想デスクトップ領域を入れ替え、実デスクトップ領域１４１−５ｒにアプリケーションＢの動作画像を、仮想デスクトップ領域１４１−５ｖにアプリケーションＡの動作画像を表示させるようにした場合も、図６（ｂ）の場合と同様である。【００６５】
なお、図６に示したような、情報端末１００の表示部１２１上にアプリケーションＡ及びアプリケーションＢの動作画像がそれぞれウィンドウ形式で同時に表示されている状態で、情報端末１００の使用者が目的のアプリケーションを選択する方法としては、以下が考えられる。例えば、操作部１３０（タッチパネル）上の目的のアプリケーションの動作画像が表示されている領域をタップする。【００６６】
例えば、情報端末１００の外部インタフェース１５０に接続された図示を省略したマウスの操作により、ポインタを目的のアプリケーションの動作画像が表示されている領域に移動させ、前記領域において前記マウスのボタンをクリックする。前記操作を行うことにより、制御部１０１が前記操作を施されたアプリケーションを選択することが可能となる。【００６７】
また、本実施例の情報端末１００においては、情報端末１００を振ることにより目的のアプリケーションの選択を行うことも可能であるものとする。例えば、図８に示すように、表示部１２１−６ｌ上で画面左側に位置するアプリケーションＢの動作画像１２１Ｗ６２ｌが選択されている状態で、情報端末１００を左から右に振ることにより、表示部１２１−６ｒ上で画面右側に位置するアプリケーションＡの動作画像１２１Ｗ６１ｒに選択を移動させる。前記処理は情報端末１００が備える加速度センサ１６１等により情報端末１００の動きを検出することにより実現が可能である。【００６８】
なお、画面右側に位置するアプリケーションＡの動作画像から画面左側に位置するアプリケーションＢの動作画像に選択を移動させたい場合には、情報端末１００の使用者は情報端末１００を右から左に振れば良い。
【実施例２】
【００６９】
以下では本発明の実施例２に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。【００７０】
本実施例は、図３に示した画像表示システムの構成で、ネットワーク３００を介して接続された二台の画像表示装置２００に対して、情報端末１００上で同時に動作する三つ（四つ以上でも可、即ち、『画像表示装置の数』＜『情報端末上で動作するアプリケーションの数』）のアプリケーションの動作画像を表示する場合の例である。【００７１】
本実施例の場合のＳ１０３の工程で行われるアプリケーションの動作画像の表示先となる画像表示装置の選択処理の詳細例を、図９を用いて説明する。なお、情報端末１００上で動作する前記三つのアプリケーションを、以下では、それぞれアプリケーションＡ、アプリケーションＢ及びアプリケーションＣとする。【００７２】
情報端末１００上でアプリケーションＡ、アプリケーションＢ及びアプリケーションＣが動作している状態では、情報端末１００の表示部１２１−７上には、図９に示すように、アプリケーションＡの動作画像１２１Ｗ７１、アプリケーションＢの動作画像１２１Ｗ７２及びアプリケーションＣの動作画像１２１Ｗ７３が表示される。【００７３】
アプリケーションＣの動作画像１２１Ｗ７３の表示先となる画像表示装置を選択するために、情報端末１００の使用者は、操作部１３０（タッチパネル）上のアプリケーションＣの動作画像１２１Ｗ７３が表示されている領域をタップする。或いは、情報端末１００の外部インタフェース１５０に接続された図示を省略したマウスの操作により、ポインタ１２１Ｐ７をアプリケーションＣの動作画像１２１Ｗ７３が表示されている領域に移動させ、前記領域において前記マウスのボタンをクリックする。【００７４】
前記操作により、アプリケーションＣの動作画像１２１Ｗ７３上にメニューが表示される。情報端末１００の使用者が前記メニューの中から『出力先の選択』項目を更に選ぶことにより、出力先選択メニュー１２１Ｍ７が表示される。【００７５】
本実施例においては、出力先選択メニュー１２１Ｍ７には、ネットワーク３００を介して情報端末１００との接続が確立している画像表示装置の一覧及び『出力しない』項目が表示される。ここで、アプリケーションＣの動作画像１２１Ｗ７３の表示先として前記『出力しない』項目を設定した場合、情報端末１００の使用者が表示部１２１−７上でアプリケーションＣの動作画像１２１Ｗ７３を選択しても、制御部１０１はアプリケーションＣの動作画像１２１Ｗ７３の画像信号を何れの画像表示装置に対しても出力しないように制御する。即ち、出力先選択メニュー１２１Ｍ７で『出力しない』項目を選択することにより、任意のアプリケーションの動作画像を画像表示装置に表示させないように設定することが可能となる。【００７６】
また、前述の各アプリケーションの動作画像の表示先となる画像表示装置の設定処理において、情報端末１００の使用者がアプリケーションＣの動作画像１２１Ｗ７３の表示先として『表示装置１』を選択し、その結果、アプリケーションＡの動作画像の表示先として画像表示装置２００ａが、アプリケーションＢの動作画像の表示先として画像表示装置２００ｂが、アプリケーションＣの動作画像の表示先として画像表示装置２００ａが、それぞれ設定された場合に関して、図１０を用いて説明する。【００７７】
図１０（ａ）は、本実施例の画像表示システムにおいて、情報端末１００上で動作するアプリケーションＡ、アプリケーションＢ及びアプリケーションＣの動作画像を画像表示装置２００ａ及び画像表示装置２００ｂに選択的に表示し、更に表示部１２１−８上においてアプリケーションＡの動作画像１２１Ｗ８１が選択されている場合の、情報端末１００の表示部１２１−８と画像表示装置２００ａの表示（投影）部２２１ａ−８及び画像表示装置２００ｂの表示（投影）部２２１ｂ−８の表示画面を示す図である。【００７８】
図１０（ａ）に示した例の場合、制御部１０１は画像表示装置２００ａに対してアプリケーションＡの動作画像１２１Ｗ８１の画像信号及び『受信した画像信号をそのまま表示する』という内容の画像制御信号を送信する。画像表示装置２００ａは、ＬＡＮ通信部２４２ａで前記画像信号及び前記画像制御信号を受信し、表示処理部２２２ａで前記画像信号に対して前記画像制御信号に応じた処理を施し、表示（投影）部２２１ａ−８に図１０（ａ）に示したような画像を表示する。【００７９】
一方、画像表示装置２００ｂに対しては、制御部１０１はアプリケーションＢの動作画像１２１Ｗ８２の画像信号及び『受信した画像信号の輝度を下げる』という内容の画像制御信号を送信する。画像表示装置２００ｂは、ＬＡＮ通信部２４２ｂで前記画像信号及び前記画像制御信号を受信し、表示処理部２２２ｂで前記画像信号に対して前記画像制御信号に応じた処理を施し、表示（投影）部２２１ｂ−８に図１０（ａ）に示したような画像を表示する。なお、制御部１０１は、アプリケーションＣの動作画像１２１Ｗ８３の画像信号は何れの画像表示装置に対しても送信しない。【００８０】
即ち、表示部１２１−８上で選択されているアプリケーションＡの動作画像１２１Ｗ８１を表示する画像表示装置２００ａの表示（投影）部２２１ａ−８は画像を明るく表示し、一方、表示部１２１−８上で選択されていないアプリケーションＢの動作画像１２１Ｗ８２を表示する画像表示装置２００ｂの表示（投影）部２２１ｂ−８は画像を暗く表示する。表示部１２１−８上で選択されておらず、表示先がアプリケーションＡと重複するアプリケーションＣの動作画像１２１Ｗ８３は何れの画像表示装置にも表示されない。この結果、情報端末１００の使用者は、画像表示装置２００ａに表示されている画像が注視すべき画像であると明示することが可能となる。【００８１】
なお、前述の状態で情報端末１００の使用者がアプリケーションＢの動作画像を表示する画像表示装置２００ｂを注視させたいと考えた場合、図１０（ｂ）に示すように、表示部１２１−９上においてアプリケーションＢの動作画像１２１Ｗ９２を選択すれば良い。前記操作により、制御部１０１は画像表示装置２００ａに対してアプリケーションＡの動作画像１２１Ｗ９１の画像信号及び『受信した画像信号の輝度を下げる』という内容の画像制御信号を送信するように制御を変更する。【００８２】
また、画像表示装置２００ｂに対してはアプリケーションＢの動作画像１２１Ｗ９２の画像信号及び『受信した画像信号をそのまま表示する』という内容の画像制御信号を送信するように制御を変更する。この結果、画像表示装置２００ａの表示（投影）部２２１ａ−９は画像を暗く表示し、画像表示装置２００ｂの表示（投影）部２２１ｂ−９は画像を明るく表示するようになる。即ち、情報端末１００の使用者は、表示部１２１−９上で選択したアプリケーションＢの動作画像１２１Ｗ９２を表示する画像表示装置２００ｂの表示（投影）部２２１ｂ−９が注視すべき画像であると明示することが可能となる。【００８３】
また、情報端末１００の使用者がアプリケーションＣの動作画像を注視させたいと考えた場合、図１０（ｃ）に示すように、表示部１２１−１０上においてアプリケーションＣの動作画像１２１Ｗ１０３を選択すれば良い。前記操作により、制御部１０１は画像表示装置２００ａに対してアプリケーションＣの動作画像１２１Ｗ１０３の画像信号及び『受信した画像信号の輝度をそのまま表示する』という内容の画像制御信号を送信するように制御を変更する。【００８４】
また、画像表示装置２００ｂに対してはアプリケーションＢの動作画像１２１Ｗ１０２の画像信号及び『受信した画像信号の輝度を下げる』という内容の画像制御信号を送信するように制御を変更する。この結果、画像表示装置２００ａの表示（投影）部２２１ａ−１０は画像を明るく表示し、画像表示装置２００ｂの表示（投影）部２２１ｂ−１０は画像を暗く表示するようになる。即ち、情報端末１００の使用者は、表示部１２１−１０上で選択したアプリケーションＣの動作画像１２１Ｗ１０３を画像表示装置２００ａの表示（投影）部２２１ａ−１０に表示させ、且つ画像表示装置２００ａの表示（投影）部２２１ａ−１０が注視すべき画像であると明示することが可能となる。【００８５】
以上の処理により、本実施例の画像表示システム及び情報端末においても、実施例１と同様に、例えばプレゼンテーション等で使用した場合に、聴衆に対して何れの資料に注視すべきかを簡単に示すことができ、即ち本発明の目的である、情報端末の出力画像を表示する画像表示装置の表示画面の注視すべき部分を簡単に明示することが可能となる。【００８６】
なお、各アプリケーションの動作画像の表示先となる画像表示装置の設定処理における出力先選択メニューの『出力しない』項目の表示は、『画像表示装置の数』が『情報端末上で動作するアプリケーションの数』より少ない場合に限って適用されるものではない。例えば、図３に示した画像表示システムの構成で、ネットワーク３００を介して接続された二台の画像表示装置２００に対して、情報端末１００上で二つのアプリケーション（アプリケーションＡ及びアプリケーションＢ）が同時に動作している場合に適用しても良い。【００８７】
前記状態で、アプリケーションＡの動作画像の表示先を画像表示装置２００ａに、アプリケーションＢの動作画像の表示先を『出力しない』に設定し、更に、図１１に示すように、表示部１２１−１１上においてアプリケーションＡの動作画像１２１Ｗ１１１が選択されている場合、制御部１０１は画像表示装置２００ａに対してアプリケーションＡの動作画像１２１Ｗ１１１の画像信号及び『受信した画像信号をそのまま表示する』という内容の画像制御信号を送信する。【００８８】
一方、画像表示装置２００ｂに対しては、制御部１０１はアプリケーションＢの動作画像１２１Ｗ１１２の画像信号は送信せず、『省エネモードに移行する』という内容の画像制御信号のみを送信するようにすれば良い。なお、表示部１２１−１１上においてアプリケーションＢの動作画像１２１Ｗ１１２が選択された場合でも、制御部１０１は、画像表示装置２００ｂに対して、アプリケーションＢの動作画像１２１Ｗ１１２の画像信号を送信せず、『省エネモードに移行する』という内容の画像制御信号のみを送信する状態を継続する。【００８９】
また、画像表示システムが一台の情報端末と一台の画像表示装置とで構成される場合、即ち、図３に示したシステム構成図において画像表示装置２００ｂが存在しない構成の場合には、前述の各例の、画像表示装置２００ｂへの画像信号及び画像制御信号の送信を行わないように制御するものとして考えれば良い。
【実施例３】
【００９０】
以下では本発明の実施例３に関して説明する。なお、本実施例における構成及び効果等も特に断りのない限り実施例１と同様であるものとする。このため、以下では、本実施例と実施例１との相違点を主に説明し、共通する点については重複を避けるため極力説明を省略する。【００９１】
図１２は、本実施例の画像表示システムの構成図であり、一台の情報端末１００とｎ台（本実施例では、ｎ＝２）の画像表示装置２００とが映像ケーブル４００を介して接続されているものとする。【００９２】
具体的には、情報端末１００の映像／音声出力部１２７が複数の出力端子を有し、情報端末１００の映像／音声出力部１２７ａと画像表示装置２００ａの映像／音声入力部２２７ａが映像ケーブル４００ａで接続され、情報端末１００の映像／音声出力部１２７ｂと画像表示装置２００ｂの映像／音声入力部２２７ｂが映像ケーブル４００ｂで接続される。この場合、情報端末１００のＬＡＮ通信部１４２や画像表示装置２００ａのＬＡＮ通信部２４２ａ及び画像表示装置２００ｂのＬＡＮ通信部２４２ｂは不要となり、製造コストの削減が期待できる。【００９３】
図１２に示したシステム構成において、情報端末１００上で動作する二つのアプリケーションの動作画像のそれぞれを、異なる画像表示装置２００ａ及び画像表示装置２００ｂに表示させる場合の例に関して、以下に説明する。【００９４】
情報端末１００上で動作する前記二つのアプリケーションの動作画像のそれぞれを異なる画像表示装置に表示させるために、情報端末１００の使用者は、まず前記二つのアプリケーションの動作画像のそれぞれを情報端末１００と映像ケーブル４００により接続された何れの画像表示装置に表示させるかの設定を行う。【００９５】
なお、前記設定処理は実施例１と同様の手順により行えば良い。但し、出力先選択メニューの画像表示装置の一覧には、ＩＰアドレスやＭＡＣアドレスの代わりにＤＤＣ（Ｄｉｓｐｌａｙ  Ｄａｔａ  Ｃｈａｎｎｅｌ）等の技術を用いて取得した各画像表示装置の製品型番等を表示するようにする。【００９６】
本実施例の画像表示システムにおいて、前述の各アプリケーションの動作画像の表示先となる画像表示装置の設定処理を行うことにより、情報端末１００は、アプリケーションＡの動作画像の画像信号を映像／音声出力部１２７ａ及び映像ケーブル４００ａを介して画像表示装置２００ａに送信する。同時に、情報端末１００は、アプリケーションＢの動作画像の画像信号を映像／音声出力部１２７ｂ及び映像ケーブル４００ｂを介して画像表示装置２００ｂに送信する。【００９７】
情報端末１００が出力する各アプリケーションの動作画像を表示する各画像表示装置の表示画面の注視すべき部分を簡単に明示するために、本実施例の情報端末１００は、更に、画像表示装置２００ａ及び画像表示装置２００ｂに対して、それぞれ画像制御信号を送信する。【００９８】
なお、本実施例においては、情報端末１００から画像表示装置２００ａ及び画像表示装置２００ｂへの前記画像制御信号の送信は、表示処理部１２２で処理を施した各アプリケーションの動作画像の画像信号に前記画像制御信号を重畳し、映像／音声出力部１２７ａ及び映像ケーブル４００ａを介して画像表示装置２００ａに、また映像／音声出力部１２７ｂ及び映像ケーブル４００ｂを介して画像表示装置２００ｂに送信することにより実行すれば良い。【００９９】
画像表示装置２００においては、映像／音声入力部２２７で受信した前記画像制御信号が重畳された各アプリケーションの動作画像の画像信号に対して分離処理を施し、前記分離した各アプリケーションの動作画像の画像信号と前記画像制御信号を表示処理部２２２に入力する。更に、表示処理部２２２は前記入力した各アプリケーションの動作画像の画像信号に対して前記画像制御信号の内容に応じた所定の処理を施した後に表示（投影）部２２１で表示する。【０１００】
前記処理の結果、図１３（ａ）に示すように、表示部１２１−１２上で選択されているアプリケーションＡの動作画像１２１Ｗ１２１を表示する画像表示装置２００ａの表示（投影）部２２１ａ−１２は画像を明るく表示し、一方、表示部１２１−１２上で選択されていないアプリケーションＢの動作画像１２１Ｗ１２２を表示する画像表示装置２００ｂの表示（投影）部２２１ｂ−１２は画像を暗く表示する。【０１０１】
したがって、情報端末１００の使用者は、画像表示装置２００ａに表示されている画像が注視すべき画像であると明示することが可能となる。なお、図１３（ｂ）に示すように、表示部１２１−１３上でアプリケーションＢの動作画像１２１Ｗ１３２が選択された場合も同様である。【０１０２】
以上の処理により、本実施例の画像表示システム及び情報端末においても、実施例１と同様に、例えばプレゼンテーション等で使用した場合に、聴衆に対して何れの資料に注視すべきかを簡単に示すことができ、即ち本発明の目的である、情報端末の出力画像を表示する画像表示装置の表示画面の注視すべき部分を簡単に明示することが可能となる。【０１０３】
なお、前述の例では、情報端末１００から画像表示装置２００への前記画像制御信号の送信は、表示処理部１２２で処理を施した各アプリケーションの動作画像の画像信号に前記画像制御信号を重畳し、映像／音声出力部１２７及び映像ケーブル４００を介して画像表示装置２００に送信することにより行っている。【０１０４】
前述とは異なる画像制御信号の送信方法として、例えば、情報端末１００の赤外線送信部１７０が前記画像制御信号を赤外線リモコン信号として画像表示装置２００に送信し、画像表示装置２００の赤外線受信部２７０が前記赤外線リモコン信号を受信することにより、前記画像制御信号を取得するようにしても良い。この場合、画像表示装置２００ａ及び画像表示装置２００ｂに予め異なるリモコン識別番号を付与しておく。【０１０５】
更に、情報端末１００の赤外線送信部が送信する前記赤外線リモコン信号は前記画像制御信号の他、前記リモコン識別信号を含むことにより、前記画像制御信号を含む前記赤外線リモコン信号の送信対象となる画像表示装置の判別を行うようにすれば良い。【０１０６】
また、情報端末１００上で動作する各アプリケーションの動作画像の画像信号は映像／音声出力部１２７及び映像ケーブル４００を介して画像表示装置２００に送信し、一方、画像制御信号はＬＡＮ通信部１４２及びネットワークを介して画像表示装置２００に送信するようにしても良い。
【実施例４】
【０１０７】
以下では本発明の実施例４に関して説明する。なお、本実施例における構成及び効果等も特に断りのない限り実施例１と同様であるものとする。このため、以下では、本実施例と実施例１との相違点を主に説明し、共通する点については重複を避けるため極力説明を省略する。【０１０８】
図１４は、本実施例の画像表示システムの構成図であり、ｍ台（本実施例では、ｍ＝３）の情報端末１００とｎ台（本実施例では、ｎ＝２）の画像表示装置２００とがネットワーク３００を介して接続されているものとする。また、情報端末１００ａ上では一つのアプリケーションＡが動作し、情報端末１００ｂ上では一つのアプリケーションＢが動作し、本実施例の画像表示システムにおいて前記アプリケーションＡの動作画像及び前記アプリケーションＢの動作画像を画像表示装置２００a及び画像表示装置２００ｂに表示する場合に関して、以下に説明する。【０１０９】
本実施例のシステム構成の場合、まず、画像表示システムの構築、及び各情報端末上で動作するアプリケーションの動作画像を何れの画像表示装置に表示させるかの設定を行う必要がある。前記処理を、図１５を用いて説明する。【０１１０】
画像表示システムを構築するために、まず、画像表示システムの制御用の情報端末を選択する。これは、画像表示システムの使用者が任意の情報端末（本実施例では情報端末１００ｃ）を指定すれば良い。次に、ネットワーク３００上で前記三台の情報端末１００と前記二台の画像表示装置２００の接続が確立した状態で、画像表示システムの使用者は、図１５（ａ）に示すように、制御用の情報端末１００ｃの操作部１３０ｃ（タッチパネル）上の任意のデスクトップ領域をタップする。【０１１１】
或いは、制御用の情報端末１００ｃの外部インタフェース１５０ｃに接続された図示を省略したマウスの操作により、ポインタ１２１Ｐ１４がデスクトップの任意の領域にある状態で、前記マウスのボタンをクリックする。前記操作により、表示画面１２１−１４上にメニューが表示される。画像表示システムの使用者が前記メニューの中から『システム構築』項目を更に選ぶことにより、システム追加メニュー１２１Ｍ１４１が表示される。【０１１２】
システム追加メニュー１２１Ｍ１４１には、ネットワーク３００上に接続されている情報端末の一覧（本実施例では、情報端末１００ａと情報端末１００ｂ）が表示される。前記情報端末の一覧は、各情報端末が有するＩＰアドレスやＭＡＣアドレス、情報端末の型番や製造番号等を一覧で表示すれば良い。本実施例では、前記情報端末の一覧は各情報端末が付与された機器名を表示するものとする。即ち、システム追加メニュー１２１Ｍ１４１には、図１５（ａ）に示したように、情報端末１００ａの機器名『情報端末１』及び情報端末１００ｂの機器名『情報端末２』が表示されるものとする。【０１１３】
ここで、『情報端末１』を選択すると、前記『情報端末１』を画像表示システムに加えるか否かの選択メニュー１２１Ｍ１４２が表示される。選択メニュー１２１Ｍ１４２で『する』を選択すると、前記『情報端末１』（即ち、情報端末１００ａ）が画像表示システムのシステム構成に加えられ、制御用の情報端末１００ｃの表示部１２１−１４上に情報端末１００ａの動作画面がウィンドウ形式で表示される。なお、前記画像表示システムの構築処理は、ネットワーク３００上に接続されている他の情報端末に対しても必要に応じて繰り返される。【０１１４】
画像表示システムの構築後、画像表示システムの使用者は、図１５（ｂ）に示すように、画像表示システムに追加した情報端末１００ａ及び情報端末１００ｂで動作するアプリケーションＡ及びアプリケーションＢの動作画像のそれぞれをネットワーク３００上の何れの画像表示装置に表示させるかの設定を行う。【０１１５】
前記各アプリケーションの動作画像の表示先となる画像表示装置の選択処理は、実施例１と同様であるため詳細な説明を省略するが、制御用の情報端末１００ｃ上で一括して行っても良いし、情報端末１００ａ及び情報端末１００ｂ上で個別に行っても良い。【０１１６】
また、前記各アプリケーションの動作画像の表示先となる画像表示装置の選択処理を制御用の情報端末１００ｃ上で一括して行う場合、制御用の情報端末１００ｃの制御部１０１ｃが、情報端末１００ａ及び情報端末１００ｂに対してアプリケーションの動作画像の表示先を指定して画像信号を出力するように指示しても良いし、画像表示装置２００ａ及び画像表示装置２００ｂに対して何れの情報端末が出力したアプリケーションの動作画像の画像信号を選択するかを指示するようにしても良い。【０１１７】
本実施例の画像表示システムにおいて、前述の画像表示システムの構築及び各アプリケーションの動作画像の表示先となる画像表示装置の設定処理を行うことにより、情報端末１００ａは、アプリケーションＡの動作画像の画像信号をＬＡＮ通信部１４２ａ及びネットワーク３００を介して制御用の情報端末１００ｃ及び画像表示装置２００ａに送信する。同時に、情報端末１００ｂは、アプリケーションＢの動作画像の画像信号をＬＡＮ通信部１４２ｂ及びネットワーク３００を介して制御用の情報端末１００ｃ及び画像表示装置２００ｂに送信する。【０１１８】
情報端末１００ａ及び情報端末１００ｂが出力する各アプリケーションの動作画像を表示する各画像表示装置の表示画面の注視すべき部分を簡単に明示するために、本実施例では、制御用の情報端末１００ｃが画像表示装置２００ａ及び画像表示装置２００ｂに対してそれぞれ画像制御信号を送信する。【０１１９】
画像表示装置２００ａは、情報端末１００ａから送信されたアプリケーションＡの動作画像の画像信号及び制御用の情報端末１００ｃから送信された前記画像制御信号をＬＡＮ通信部２４２ａで受信し、表示処理部２２２ａで前記受信した画像信号に対して前記画像制御信号の内容に応じた所定の処理を施した後に表示（投影）部２２１ａで表示する。【０１２０】
同様に、画像表示装置２００ｂは、情報端末１００ｂから送信されたアプリケーションＢの動作画像の画像信号及び制御用の情報端末１００ｃから送信された前記画像制御信号をＬＡＮ通信部２４２ｂで受信し、表示処理部２２２ｂで前記受信した画像信号に対して前記画像制御信号の内容に応じた所定の処理を施した後に表示（投影）部２２１ｂで表示する。【０１２１】
図１６（ａ）は、本実施例の画像表示システムにおいて、情報端末１００ａ上で動作するアプリケーションＡ及び情報端末１００ｂ上で動作するアプリケーションＢの動作画像をそれぞれ画像表示装置２００ａ及び画像表示装置２００ｂに表示し、更に制御用の情報端末１００ｃの表示部１２１ｃ−１６上においてアプリケーションＡの動作画像が選択されている場合の、情報端末１００ａの表示部１２１ａ−１６、情報端末１００ｂの表示部１２１ｂ−１６及び情報端末１００ｃの表示部１２１ｃ−１６と画像表示装置２００ａの表示（投影）部２２１ａ−１６及び画像表示装置２００ｂの表示（投影）部２２１ｂ−１６の表示画面を示す図である。【０１２２】
図１６（ａ）に示した例の場合、制御用の情報端末１００ｃの制御部１０１ｃは画像表示装置２００ａに対して『受信した画像信号をそのまま表示する』という内容の画像制御信号を送信する。【０１２３】
画像表示装置２００ａは、ＬＡＮ通信部２４２ａで情報端末１００ａから送信されたアプリケーションＡの動作画像１２１Ｗ１６１の画像信号及び制御用の情報端末１００ｃから送信された前記画像制御信号を受信し、表示処理部２２２ａで前記画像信号に対して前記画像制御信号に応じた処理を施し、表示（投影）部２２１ａ−１６に図１６（ａ）に示したような画像を表示する。【０１２４】
一方、画像表示装置２００ｂに対しては、制御用の情報端末１００ｃの制御部１０１ｃは『受信した画像信号の輝度を下げる』という内容の画像制御信号を送信する。画像表示装置２００ｂは、ＬＡＮ通信部２４２ｂで情報端末１００ｂから送信されたアプリケーションＢの動作画像１２１Ｗ１６２の画像信号及び制御用の情報端末１００ｃから送信された前記画像制御信号を受信し、表示処理部２２２ｂで前記画像信号に対して前記画像制御信号に応じた処理を施し、表示（投影）部２２１ｂ−１６に図１６（ａ）に示したような画像を表示する。【０１２５】
即ち、制御用の情報端末１００ｃの表示部１２１ｃ−１６上で選択されているアプリケーションＡの動作画像を表示する画像表示装置２００ａの表示（投影）部２２１ａ−１６は画像を明るく表示し、一方、制御用の情報端末１００ｃの表示部１２１ｃ−１６上で選択されていないアプリケーションＢの動作画像を表示する画像表示装置２００ｂの表示（投影）部２２１ｂ−１６は画像を暗く表示する。この結果、本実施例の画像表示システムの使用者は、画像表示装置２００ａに表示されている画像が注視すべき画像であると明示することが可能となる。【０１２６】
なお、前述の状態で本実施例の画像表示システムの使用者が情報端末１００ｂ上で動作するアプリケーションＢの動作画像を表示する画像表示装置２００ｂを注視させたいと考えた場合、図１６（ｂ）に示すように、制御用の情報端末１００ｃの表示部１２１ｃ−１７上においてアプリケーションＢの動作画像を選択すれば良い。【０１２７】
前記処理により、制御用の情報端末１００ｃの制御部１０１ｃは画像表示装置２００ａに対して『受信した画像信号の輝度を下げる』という内容の画像制御信号を送信するように制御を変更する。また、画像表示装置２００ｂに対しては『受信した画像信号をそのまま表示する』という内容の画像制御信号を送信するように制御を変更する。【０１２８】
この結果、画像表示装置２００ａの表示（投影）部２２１ａ−１７は画像を暗く表示し、画像表示装置２００ｂの表示（投影）部２２１ｂ−１７は画像を明るく表示するようになる。即ち、本実施例の画像表示システムの使用者は制御用の情報端末１００ｃの表示部１２１ｃ−１７上で選択したアプリケーションＢの動作画像を表示する画像表示装置２００ｂの表示（投影）部２２１ｂ−１７が注視すべき画像であると明示することが可能となる。【０１２９】
以上の処理により、本実施例の情報端末及び画像表示システムにおいても、実施例１と同様に、例えばプレゼンテーション等で使用した場合、聴衆に対して何れの資料に注視すべきかを簡単に示すことができ、即ち本発明の目的である、情報端末の出力画像を表示する画像表示装置の表示画面の注視すべき部分を簡単に明示することが可能となる。【０１３０】
また、本実施例の画像表示システムにおいては、制御用の情報端末１００ｃの操作により、情報端末１００ａ上で動作するアプリケーションＡ若しくは情報端末１００ｂ上で動作するアプリケーションＢの制御が可能となる機能を備えても良い。【０１３１】
例えば、図１７に示すように、制御用の情報端末１００ｃの操作部１３０ｃ（タッチパネル）のアプリケーションＢが表示されている領域で、左から右方向へのフリック操作を行った場合に、情報端末１００ｃの制御部１０１ｃがＬＡＮ通信部１４２ｃ及びネットワーク３００を介して、情報端末１００ｂに対して『アプリケーションＢのページ送りを行う』という内容の制御命令を送るようにする。【０１３２】
或いは、前記領域で、右から左方向へのフリック操作を行った場合に、情報端末１００ｃの制御部１０１ｃがＬＡＮ通信部１４２ｃ及びネットワーク３００を介して、情報端末１００ｂに対して『アプリケーションＢのページ戻しを行う』という内容の制御命令を送るようにする。情報端末１００ｂは、前記制御命令をＬＡＮ通信部１４２ｂで受信し、更に、制御部１０１ｂの指示によりアプリケーションＢのページ送り操作若しくはページ戻し操作を行うようにする。前述のような機能を備えることにより、本画像表示システムの利便性を大幅に向上させることが可能である。【０１３３】
なお、画像表示システムがｍ台の情報端末と一台の画像表示装置とで構成される場合、即ち、図１４に示したシステム構成図において画像表示装置２００ｂが存在しない構成の場合には、前述の各例の、画像表示装置２００ｂへの画像信号及び画像制御信号の送信を行わないように制御するものとして考えれば良い。
【実施例５】
【０１３４】
以下では本発明の実施例５に関して説明する。なお、本実施例における構成及び効果等も特に断りのない限り実施例１と同じであるものとする。このため、以下では、本実施例と実施例１との相違点を主に説明し、説明の重複を避けるため、共通する点については極力省略する。【０１３５】
図１８は、本実施例の画像表示システムの構成図であり、一台の情報端末１００と一台の画像表示装置２００とがネットワーク３００を介して接続されているものとする。また、本実施例では、画像表示装置２００は表示（投影）部２２１の背面にＬＥＤ（Ｌｉｇｈｔ  Ｅｍｉｔｔｉｎｇ  Ｄｉｏｄｅ）バックライト２２１ＢＬを備えた直視型液晶モニタであるものとする。更にＬＥＤバックライト２２１ＢＬは、図１９に示すように、水平方向１２分割×垂直方向９分割された各バックライトエリアａ（０，０）〜ａ（１１，８）に対してそれぞれ独立に光量を調整できるエリア制御機能を有するものとする。【０１３６】
本実施例の情報端末１００は、情報端末１００上で動作する一つのアプリケーションの動作画像を情報端末１００の表示部１２１に表示するとともに、前記アプリケーションの動作画像の画像信号をＬＡＮ通信部１４２及びネットワーク３００を介して画像表示装置２００に送信する。画像表示装置２００は、情報端末１００から送信された前記アプリケーションの動作画像の画像信号をＬＡＮ通信部２４２で受信し、表示処理部２２２で適宜処理を行った後に表示（投影）部２２１で表示する。【０１３７】
本実施例の画像表示システムにおいて、図２０に示すように、情報端末１００の使用者が表示部１２１−２０に表示されているアプリケーションの動作画像の『・ＸＸＸＸＸＸＸＸＸＸ』が表示されている領域を注視すべき部分として明示したいと考えた場合、本実施例の情報端末１００は、情報端末１００の使用者の操作に基づき、前記『・ＸＸＸＸＸＸＸＸＸＸ』が表示されている領域の座標情報を含む画像制御信号を画像表示装置２００に対して送信する。【０１３８】
即ち、情報端末１００の使用者は、まず操作部１３０（タッチパネル）を操作することにより、前記『・ＸＸＸＸＸＸＸＸＸＸ』が表示されている領域を範囲指定する。或いは、情報端末１００の外部インタフェース１５０に接続された図示を省略したマウスを操作することにより、前記『・ＸＸＸＸＸＸＸＸＸＸ』が表示されている領域を範囲指定する。【０１３９】
前記操作により、制御部１０１は前記『・ＸＸＸＸＸＸＸＸＸＸ』が表示されている領域の範囲の座標情報（Ｘ１，Ｙ１）及び（Ｘ２，Ｙ２）を取得する。更に、制御部１０１は前記取得した座標情報を、『指定範囲外の領域の輝度を下げる』という内容の画像制御信号とともに、ＬＡＮ通信部１４２及びネットワーク３００を介して、画像表示装置２００に送信する。【０１４０】
画像表示装置２００は、ＬＡＮ通信部２４２で受信した前記座標情報及び前記画像制御信号に基づいて、ＬＥＤバックライト２２１ＢＬ−２０の制御を行う。具体的には、表示処理部２２２若しくは制御部２０１の指示により、前記受信した座標情報で指定される領域範囲を包含するバックライトエリアａ（０，４）〜ａ（８，５）に対しては通常の光量で発光するように制御を行い、前期領域範囲を包含しないバックライトエリアに対しては通常より少ない光量で発光するように制御を行う。【０１４１】
前記処理の結果、図２０に示したように、画像表示装置２００の表示部２２１−２０上において、情報端末１００の使用者が注視すべき部分として明示したいと考えた領域、即ち『・ＸＸＸＸＸＸＸＸＸＸ』の表示されている領域を明るく表示し、その他の領域を暗く表示する。したがって、情報端末１００の使用者は注視すべき部分として明示したいと考えた領域を明示することが可能となる。【０１４２】
なお、前記『・ＸＸＸＸＸＸＸＸＸＸ』が表示されている領域を注視すべき部分として明示するための方法としては、前述の方法によらず、例えば、画像表示装置２００が、情報端末１００から送信された前記アプリケーションの動作画像の画像信号及び前記座標情報と前記画像制御信号を表示処理部２２２に入力し、表示処理部２２２において、デジタル信号処理により前記画像信号の前記座標情報で指定される範囲以外の領域に対して輝度信号の振幅を下げる方法を用いても良い。【０１４３】
以上の処理により、本実施例の情報端末及び画像表示システムにおいても、例えばプレゼンテーション等で使用した場合、聴衆に対して資料の何れの部分に注視すべきかを簡単に示すことができ、即ち本発明の目的である、情報端末の出力画像を表示する画像表示装置の表示画面の注視すべき部分を簡単に明示することが可能となる。【０１４４】
なお、本実施例の効果は、前述の例に限らず、情報端末１００上で複数のアプリケーションが動作する場合においても同様に得ることが可能である。【０１４５】
例えば、図２１に示すように、情報端末１００上で二つのアプリケーション（アプリケーションＡ及びアプリケーションＢ）が動作し、表示部１２１−２１上でアプリケーションＡ及びアプリケーションＢの動作画像がそれぞれウィンドウ形式で同時に表示され、更に、情報端末１００の表示部１２１−２１に表示されている画像全体の画像信号がＬＡＮ通信部１４２及びネットワーク３００を介して画像表示装置２００に送信され、表示（投影）部２２１−２１で表示される場合に関して、以下に説明する。【０１４６】
前記状態で、情報端末１００の使用者が、アプリケーションＡの動作画像を注視すべき部分として明示したいと考え、情報端末１００の表示部１２１−２１上でアプリケーションＡを選択した場合、制御部１０１はアプリケーションＡの動作画像が表示されているウィンドウの座標情報（Ｘ３，Ｙ３）及び（Ｘ４，Ｙ４）を、『指定範囲外の領域の輝度を下げる』という内容の画像制御信号とともに、ＬＡＮ通信部１４２及びネットワーク３００を介して、画像表示装置２００に送信する。【０１４７】
画像表示装置２００は、ＬＡＮ通信部２４２で受信した前記座標情報及び前記画像制御信号に基づいて、ＬＥＤバックライト２２１ＢＬ−２１の制御を行う。具体的には、表示処理部２２２若しくは制御部２０１の指示により、前記受信した座標情報で指定される領域範囲を包含するバックライトエリアａ（４，３）〜ａ（１０，７）に対しては通常の光量で発光するように制御を行い、前記領域範囲を包含しないバックライトエリアに対しては通常より少ない光量で発光するように制御を行う。【０１４８】
前記処理の結果、図２１に示したように、画像表示装置２００の表示部２２１−２１上において、情報端末１００の使用者が注視すべき部分として明示したいと考えた領域、即ちアプリケーションＡの動作画像のウィンドウが表示されている領域を明るく表示し、その他の領域を暗く表示する。したがって、情報端末１００の使用者は注視すべき部分として明示することが可能となる。【０１４９】
以上、本発明の実施例を、実施例１〜５を用いて説明したが、言うまでもなく、本発明を実現する構成は前記実施例に限られるものではない。例えば、ある実施例の構成の一部を他の実施例の構成に置き換えることが可能であり、各実施例の構成の一部について、他の構成の追加、削除、置換をすることも可能である。これらは全て本発明に属するものである。また、文中や図中に現れる数値やメッセージの文章等もあくまでも一例であり、異なるものを用いても本発明の効果を損なうことはない。【０１５０】
また、上記の各構成、機能、処理部、処理手段等は、それらの一部または全部を、例えば集積回路で設計する等によりハードウェアで実現しても良い。また、上記の各構成、機能等は、マイクロプロセッサユニットがそれぞれの機能を実現するプログラムを解釈し、実行することによりソフトウェアで実現しても良い。各機能を実現するプログラムは、予めストレージ部等に格納されていても良いし、外部アプリケーションサーバからダウンロードすることによりストレージ部等に後から格納しても良い。【０１５１】
また、制御線や情報線は説明上必要と考えられる最低限のみを示しており、製品上必ずしも全ての制御線や情報線を示しているとは限らない。実際には殆ど全ての構成が相互に接続されていると考えても良い。
【符号の説明】
【０１５２】
１００：情報端末、１０１：制御部、１０２：システムバス、１０３：ＲＯＭ、１０４：ＲＡＭ、１１０：ストレージ部、１２１：表示部、１２２：表示処理部、１２３：映像入力部、１２４：スピーカ、１２５：音声処理部、１２６：音声入力部、１２７：映像／音声出力部、１３０：操作部、１４１：電話網通信部、１４２：ＬＡＮ通信部、１５０：外部インタフェース、１６１：加速度センサ、１６２：ジャイロセンサ、１６３：地磁気センサ、１６４：ＧＰＳ受信部、１６５：照度センサ、１７０：赤外線送信部、２００：画像表示装置、２０１：制御部、２０２：システムバス、２０３：ＲＯＭ、２０４：ＲＡＭ、２１０：ストレージ部、２２１：表示（投影）部、２２２：表示処理部、２２４：スピーカ、２２５：音声処理部、２２７：映像／音声入力部、２３０：操作部、２４２：ＬＡＮ通信部、２５０：外部インタフェース、２７０：赤外線受信部、
３００：ネットワーク、４００：映像ケーブル
【図１】
2014002242.tif 000003
【図２】
2014002242.tif 000004
【図３】
2014002242.tif 000005
【図４】
2014002242.tif 000006
【図５】
2014002242.tif 000007
【図６（ａ）】
2014002242.tif 000008
【図６（ｂ）】
2014002242.tif 000009
【図７（ａ）】
2014002242.tif 000010
【図７（ｂ）】
2014002242.tif 000011
【図８】
2014002242.tif 000012
【図９】
2014002242.tif 000013
【図１０（ａ）】
2014002242.tif 000014
【図１０（ｂ）】
2014002242.tif 000015
【図１０（ｃ）】
2014002242.tif 000016
【図１１】
2014002242.tif 000017
【図１２】
2014002242.tif 000018
【図１３（ａ）】
2014002242.tif 000019
【図１３（ｂ）】
2014002242.tif 000020
【図１４】
2014002242.tif 000021
【図１５（ａ）】
2014002242.tif 000022
【図１５（ｂ）】
2014002242.tif 000023
【図１６（ａ）】
2014002242.tif 000024
【図１６（ｂ）】
2014002242.tif 000025
【図１７】
2014002242.tif 000026
【図１８】
2014002242.tif 000027
【図１９】
2014002242.tif 000028
【図２０】
2014002242.tif 000029
【図２１】
2014002242.tif 000030
【国際調査報告】
2014002242.tif 000031
2014002242.tif 000032
2014002242.tif 000033
2014002242.tif 000034